(57)【要約】  衣料品を含む物品のための保温性布帛が本明細書において提供されており、本布帛は、いくつかある利益の中で特に、身体の解毒作用を促進するために、身体活動中などに着用者又は使用者の体内温度を上昇させることができる。開示される実施形態と一致する保温性布帛は、身体面表面及び身体面表面の反対側の外側面表面を有する断熱層と、断熱層の外側面表面に配設された外側布帛と、断熱層の身体面表面に配設された金属材料と、断熱層の身体面表面に配設された内側布帛とを含み得る。また、保温性布帛の製造方法及びそれを含む物品も提供される。【選択図】図１Ａ
2019531211.tif 000002
【特許請求の範囲】
【請求項１】
身体面表面及び前記身体面表面の反対側の外側面表面を有する断熱層と、
前記断熱層の外側面表面に配設された金属材料と、
前記金属材料の外側面表面に配設された外側布帛と、
前記断熱層の身体面表面に配設された内側布帛と、を備える保温性布帛。
【請求項２】
前記断熱層が断熱特性を含む、請求項１に記載の保温性布帛。
【請求項３】
前記断熱特性が周囲温度の反射を含む、請求項２に記載の保温性布帛。
【請求項４】
前記断熱特性が周囲温度の吸収を含む、請求項２に記載の保温性布帛。
【請求項５】
前記断熱層がネオプレン布帛を含む、請求項１に記載の保温性布帛。
【請求項６】
前記ネオプレン布帛が約０．３ｍｍ〜０．５ｍｍの厚さである、請求項５に記載の保温性布帛。
【請求項７】
前記ネオプレン布帛がクローズドセル構造を含む、請求項５に記載の保温性布帛。
【請求項８】
前記クローズドセル構造が１００％のクローズドセル構造を含む、請求項７に記載の保温性布帛。
【請求項９】
前記断熱層が軽量材料を含む、請求項１に記載の保温性布帛。
【請求項１０】
前記断熱層が軟質材料を含む、請求項１に記載の保温性布帛。
【請求項１１】
前記断熱層が可撓性材料を含む、請求項１に記載の保温性布帛。
【請求項１２】
前記金属材料が熱保持特性を含む、請求項１に記載の保温性布帛。
【請求項１３】
前記熱保持特性が保温性を含む、請求項１２に記載の保温性布帛。
【請求項１４】
前記金属材料がチタンを含む、請求項１に記載の保温性布帛。
【請求項１５】
前記チタンが約７０ミクロン厚のチタン合金のフィルムを含む、請求項１４に記載の保温性布帛。
【請求項１６】
前記金属材料が摩擦により熱を発生させる、請求項１に記載の保温性布帛。
【請求項１７】
前記外側布帛が編物を含む、請求項１に記載の保温性布帛。
【請求項１８】
前記外側布帛がナイロンジャージを含む、請求項１に記載の保温性布帛。
【請求項１９】
前記外側布帛が伸縮特性を含む、請求項１に記載の保温性布帛。
【請求項２０】
前記内側布帛が編物を含む、請求項１に記載の保温性布帛。
【請求項２１】
前記内側布帛がナイロンジャージを含む、請求項１に記載の保温性布帛。
【請求項２２】
前記内側布帛が伸縮特性を含む、請求項１に記載の保温性布帛。
【請求項２３】
前記内側布帛が無毒性である、請求項１に記載の保温性布帛。
【請求項２４】
前記金属材料が積層又は熱接着によって前記断熱層の外側面表面に配設される、請求項１に記載の保温性布帛。
【請求項２５】
前記外側布帛が積層又は熱接着によって前記金属材料の外側面表面に配設される、請求項１に記載の保温性布帛。
【請求項２６】
前記内側布帛が積層又は熱接着によって前記断熱層の身体面表面に配設される、請求項１に記載の保温性布帛。
【請求項２７】
第２の金属材料を更に含み、前記第２の金属材料が前記断熱層の身体面表面に配設され、前記内側布帛が前記第２の金属層の身体面表面に配設され、前記第２の金属材料が前記断熱層と前記内側布帛との間に配設される、請求項１に記載の保温性布帛。
【請求項２８】
前記第２の金属材料がチタンを含む、請求項２７に記載の保温性布帛。
【請求項２９】
保温性布帛を含む物品の製造方法であって、
身体面表面及び外側面表面を有する断熱布帛を提供することと、
前記断熱布帛の外側面表面に金属材料を配設することと、
前記金属材料の外側面表面に外側布帛を配設することと、
前記断熱層の身体面表面に内側布帛を配設することと、を含む方法。
【請求項３０】
前記断熱布帛の外側面表面に前記金属材料を配設することが積層又は熱接着を含む、請求項２９に記載の方法。
【請求項３１】
前記金属材料の外側面表面に前記外側布帛を配設することが積層又は熱接着を含む、請求項２９に記載の方法。
【請求項３２】
前記断熱層の身体面表面に前記内側布帛を配設することが積層又は熱接着を含む、請求項２９に記載の方法。
【請求項３３】
前記内側布帛を毒素について試験することを更に含む、請求項２９に記載の方法。
【請求項３４】
前記保温性布帛を含む物品を形成することを更に含む、請求項２９に記載の方法。
【請求項３５】
前記物品を形成することが衣料品を形成することを含む、請求項３４に記載の方法。
【請求項３６】
前記衣料品を形成することが運動競技用衣料を形成することを含む、請求項３５に記載の方法。
【発明の詳細な説明】
【技術分野】
【０００１】
関連出願
[0001]  本出願は、「Athletic Apparel Systems and Methods」という表題の２０１６年８月１８日に出願された米国仮特許出願第６２／３７６，６９５号（参照によってその全体が本明細書に援用される）に対する優先権を主張する。
【０００２】
[0002]  本明細書中の実施形態は一般に衣料品及び他の物品に関し、更に具体的には、血管及びリンパ管の拡張、汗の増加並びに血液徴候（blood show）の増大を特に促進することによる身体の解毒作用と、着用者の筋肉全体にわたる熱ショックタンパク質の誘発と、を容易にすることを非限定的に含む種々の健康上の利益を提供するために、身体活動中に着用者の体内温度を上昇させるように構成された布帛に関する。
【背景技術】
【０００３】
[0003]  アクティブウェア及びスポーツウェアの衣料布帛は、温度調節技術を含み得る。このような技術は、通常、身体活動の期間中、例えば、運動及び訓練中に、着用者の体内温度を涼しい状態に保つように設計される。しかしながら、アクティブウェア及びスポーツウェア設計へのこの従来のアプローチは、身体活動中に着用者の体内温度を上昇させることの種々の健康上の利益に対応しない。
【発明の概要】
【０００４】
[0004]  本明細書では、いくつかある利益の中で特に、血管及びリンパ管の拡張、汗の増加、並びに血液徴候（blood show）の増大を特に促進することによる身体の解毒作用と、着用者の筋肉全体にわたる熱ショックタンパク質の誘発とを容易にするために、身体活動中などに着用者又は使用者の体内温度を上昇させることができる、衣料品を含む物品のための保温性布帛が提供される。開示される実施形態と一致する保温性布帛は、身体面表面及び身体面表面の反対側の外側面表面を有する断熱層と、断熱層の外側面表面に配設された外側布帛と、断熱層の身体面表面に配設された金属材料と、断熱層の身体面表面に配設された内側布帛とを含み得る。保温性を増大させるために、衣料布帛は、断熱層の身体面表面に配設された第２の金属材料と、第２の金属材料の身体面表面に配設された内側布帛とを、第２の金属材料が断熱層と内側布帛との間に配設されるように含むこともできる。断熱層は、より寒い又はより低い外部温度（例えば、周囲温度）に対する絶縁を提供し得る、ネオプレン（例えば、クロロフレン（chlorophrene）（ＣＲ）ゴム）又は任意の他の断熱材料を含み得る。金属材料は非限定的に、チタン、又は身体活動中などに保温性を提供し得る、及び／又は熱を発生させ得る任意の他の材料を含み得る。外側布帛及び内側布帛は、ジャージなどの編物、又は身体活動中などの動き及び／又は快適さを容易にする任意の他の布帛を非限定的に含み得る。内側布帛及び外側布帛は、皮膚と接触して安全に使用するために無毒性であることが証明及び／又は試験され得る。例えば、OEKO-TEX（登録商標）及び／又はOKO-TEX（登録商標）は証明及び／又は試験された。開示される実施形態と一致する衣料は、アクティブウェア、スポーツウェア、又は保温性が所望される他の衣料を非限定的に含み得る。また、保温性物品の製造方法も提供される。
【０００５】
[0005]  本明細書中に記載される開示は、非限定的且つ非包括的である説明的な実施形態を記載する。図面に示される特定の説明的な実施形態が言及される。
【図面の簡単な説明】
【０００６】
【図１Ａ】[0006]本開示の実施形態と一致する保温性布帛の簡単化された断面図を説明する。
【図１Ｂ】[0007]本開示の実施形態と一致する付加的な断熱層を更に含む図１Ａの保温性布帛の簡単化された断面図を説明する。
【図２Ａ】[0008]本開示の実施形態と一致する保温性布帛の保温特性を示す、図１Ａの保温性布帛の簡単化された断面図を説明する。
【図２Ｂ】[0009]本開示の実施形態と一致する保温性布帛の保温特性を示す、図１Ｂの保温性布帛の簡単化された断面図を説明する。
【発明を実施するための形態】
【０００７】
[0010]  本開示の実施形態の詳細な説明が以下において提供される。いくつかの実施形態が記載されるが、本開示はいずれか１つの実施形態に限定されるのではなく、その代わりに、多数の代替、修正、及び等価物を包含する。更に、本明細書で開示される実施形態の十分な理解を提供するために以下の記載において多数の特定の詳細が示されるが、いくつかの実施形態は、これらの詳細の一部又は全てがなくても実行され得る。また更に、明確にするために、関連技術において既知の特定の技術材料は、本開示を不必要に不明瞭にすることを回避するために詳細には記載されていない。
【０００８】
[0011]  本記載は、上、下、後、前、頂部、底部、内側、及び外側などの遠近法ベースの記載を使用することがある。このような記載は単に議論を容易にするために使用され、開示される実施形態の適用を限定することは意図されない。また本記載は、遠近法ベースの用語「身体面」（すなわち、身体に面する）及び「外側面」（すなわち、身体から外に面する）も使用し得る。このような記載も単に議論を容易にするために使用され、開示される実施形態の適用を限定することは意図されない。
【０００９】
[0012]  本記載は、「実施形態（embodiment）」又は「実施形態（embodiments）」という用語を使用することがあり、これらはそれぞれ、同じ又は異なる実施形態のうちの１つ又は複数を指すことができる。「含む（comprising）」、「含む（including）」、「有する（having）」などの用語は、実施形態に関連して使用される場合は同義であり、一般に「オープンな」用語が意図される。例えば、「含む（includes）」という用語は「含むが、限定されない（includes but is not limited to）」と解釈されるべきであり、「含む（including）」という用語は「含むが、限定されない（including but not limited to）」と解釈されるべきであり、「有する（having）」という用語は「少なくとも有する（having at least）」と解釈されるべきである。
【００１０】
[0013]  本明細書における任意の複数形及び／又は単数形の用語の使用に関して、関連技術分野の当業者は、文脈及び／又は適用に対して適切であるように複数形から単数形へ、及び／又は単数形から複数形へ置き換えることができる。種々の単数形及び／又は複数形の置換は、明確にするために本明細書において明白に説明されることもある。
【００１１】
[0014]  本開示の実施形態は図面を参照することにより理解することができ、図面中、同様の部分は同様の番号で示され得る。開示される実施形態の構成要素は、本明細書の図面に一般的に記載及び説明されるように、様々な種類の異なる配置で配列及び設計され得る。従って、本開示の実施形態の以下の詳細な記載は、特許請求されるような本開示の範囲を限定することは意図されず、可能性のある本開示の実施形態を単に代表するだけである。更に、他に規定されない限り、本明細書に開示される任意の方法のステップは、必ずしも任意の特定の順序で、或いは連続的に実行される必要もなく、ステップは１回だけ実行される必要もない。
【００１２】
[0015]  種々の実施形態は、いくつかある利益の中で特に、汗を促すことにより身体の解毒作用を容易にし、リンパ系を支持し、そして温熱コンディショニングの原理により運動競技熱を改善し得る、衣料用の保温性布帛を提供する。現存するアクティブウェア又はスポーツウェア布帛は、身体活動の期間中に着用者の体内温度を涼しい状態に保つ温度調節技術を含み得る。しかしながら、アクティブウェア又はスポーツウェアの設計に対するこれらの伝統的なアプローチは、身体活動中などに着用者の体内温度を上昇させることの健康上の利益に対応しない。
【００１３】
[0016]  例えば、個人の体温を上昇させることにより、個人が毎日曝される様々な種類の環境毒素及び化学物質は人体から排除され得る。これらの毒素及び化学物質は抗生物質、殺虫剤、ビスフェノールＡ（ＢＰＡ）、ポリ塩化ビフェニル（ＰＣＢ）に由来するか、或いは化学物質含有製品の使用による吸収によって、及び／又は食物を食べたり水を飲んだりすることによる摂取によって人体内に導入され得る。これらの毒素及び化学物質の一部は、例えば、炎症、交感神経系（ＳＮＳ）への損傷、体重増加、正常な副腎の妨害、及び他の望ましくない健康への影響を含む様々な望ましくない健康への影響の一因となり得る。
【００１４】
[0017]  またアスレチックトレーニング又は他の身体活動中の個人の体温の上昇も利益を得ることができる。例えば、運動競技の持久力の増大、筋肉への酸素の輸送効率の改善、筋肉痛の低減及び筋肉回復の増大、筋萎縮の低減、体重又は脂肪の減少、身体の低温への暴露の低減、低体温の効果の反転、並びに天然ホルモンレベル（例えば、ヒト成長ホルモンなど）の上昇。その他の利益は、間欠的な加熱の促進、運動競技の適応への寄与、筋肉の伸長の準備、及び爆発的なパフォーマンス活動の改善のための速筋（fast twitch muscle）の保持を含み得る。
【００１５】
[0018]  本明細書に開示される実施形態は、身体の保温が所望される衣料品及び他の物品用の保温性布帛を提供する。開示される実施形態と一致する物品は、アクティブウェア、スポーツウェア、上着（例えば、コート、パーカー、ジャケット）、上半身用衣服（例えば、タンクトップ、ティーシャツ、長袖シャツ、フード付きトップス）、下半身用衣服（例えば、ショーツ、カプリパンツ、パンツ）、履物、ウェットスーツ、スキーウェア、水着、下着、医療用衣服、靴下、加圧衣服、及び／又はこれらの任意の組合せ（例えば、ワンピースの衣服）を非限定的に含み得る。また開示される実施形態と一致する物品は、付属品、加圧ギア、ボディギア、スポーティングギア、支持装具（例えば、背中、膝、肘、手首）、寝袋、帽子、手袋、スカーフ、及び毛布などの他の物品も非限定的に含み得る。
【００１６】
[0019]  特定の実施形態では、本明細書に開示される保温性布帛は、衣類品又は衣料品などの物品の一部又は全てを形成し得る。例えば、保温性布帛は、衣服の１つ又は複数の戦略的な位置で使用され得る。いくつかの実施形態では、保温性布帛は、通常活動又は身体活動中に着用者による汗及び／又は体温上昇を促すことができる衣服の領域で戦略的に使用され得る。更に他の実施形態では、保温性布帛は、剛性、圧縮、及び／又は側方張力の増大から利益を得る衣服の領域で使用され得る。
【００１７】
[0020]  更なる実施形態では、異なる厚さの保温性布帛が衣服又は他の物品の異なる領域で使用され、特定の用途及び／又は物品のタイプに基づいて、多様な剛性又は可撓性、断熱、保温、圧縮、及び／又は張力を可能にし得る。本明細書に開示される実施形態を含む衣料は、着用者の皮膚と衣服の外側との間の換気及び／又は空気の流れを容易にするために戦略的に配置された１つ又は複数の部分を更に含み得る。例えば、特定の実施形態は、換気されたガセット股あて、換気された脇の下の領域、及び／又は同様のものを含み得る。
【００１８】
[0021]  いくつかの実施形態では、本明細書に開示される保温性布帛は、フィットネス及びアスレチックトレーニングの改善のために運動競技用衣料（例えば、スポーツウェア、アクティブウェアなど）において使用するように構成され得る。アスレチックトレーニングのいくつかの形態では、アスリート及び他の個人は体重を減らすことが必要とされる。このようなトレーニングは、例えば、長いサウナ及び／又はスチームルームセッション、及び／又は同様のものを含み得る。本明細書に開示される保温性布帛を含む衣料は汗を増加させ、より少ない身体活動で水分重量を低減することができ、そして長いサウナ及び／又はスチームルームセッションを軽減し得る。
【００１９】
[0022]  また更なる実施形態では、本明細書に開示される保温性布帛は、本明細書では温熱コンディショニングとも呼ばれる身体活動を実施しながら（例えば、運動競技のコンディショニング中に）着用者の体温を上昇させるために、運動競技用衣料（例えば、スポーツウェア、アクティブウェアなど）において使用するように構成され得る。着用者の身体は活動中の関連の熱ストレスに適応して、その心臓及び筋肉への血流体積を増大させることができ、これは、例えば、運動競技の持久力の増大、その筋肉への酸素の輸送効率の改善、より急速で増大した筋肉量の増加、筋萎縮の低減、及び天然ホルモンレベル（例えば、ヒト成長ホルモンレベルなど）の上昇を含む様々な利益に関連し得る。更なる実施形態では、本明細書に開示される保温性布帛を含む運動競技用衣料は、上記のように、間欠的な加熱を促進し、運動競技の適応に寄与し、伸長のために着用者の筋肉を準備し、爆発的なパフォーマンス活動の改善のために速筋を保持し得る。
【００２０】
[0023]  本明細書に開示される実施形態を用いて熱への順応を増大させると、筋肉痛及び筋肉回復も改善され、炎症反応の利益が促進され得る。例えば、本明細書に開示される保温性布帛を含む衣料を着用している間の身体活動は熱を発生することができ、これにより循環が増大され、着用者の栄養送達及び老廃物除去が改善されて、損傷組織の治癒に役立つことができる。発熱は更に、着用者の血管を拡張させることができ、着用者のリンパ系を介する栄養分配及び老廃物除去の改善が促進される。
【００２１】
[0024]  更に、上記のように、体内の特定の化学物質の存在は、体重増加を含む様々な望ましくない健康への影響の一因となり得る。皮膚の下に位置する体脂肪内に存在する特定の化学物質は汗を通して最も容易に排除可能であり、これは、開示される実施形態と一致する保温性布帛を含む衣料を着用することにより改善され得る。着用者の体内温度を上昇させることにより、身体のリンパ系は、細胞、組織、及び臓器からの種々の老廃物を肝臓及び腎臓へ移動させることができる。リンパ系は、少なくともある程度、身体運動を使用して、その有効性を改善し得る。開示される実施形態と一致する保温性布帛を含む衣類品を含む物品は、身体活動及び関連する汗の増加により発生される熱に応答してリンパ管の拡張を促すことにより、リンパ系の活性化の改善を容易にし得る。
【００２２】
[0025]  更に、特定の開示される実施形態を含む衣料を着用している間の身体活動は、体内の熱ショックタンパク質を増大させ得る。熱ショックタンパク質は熱への暴露に応答して細胞により産生され、フリーラジカルを補足することができる。更に、開示される実施形態を用いる衣料により促される汗の増加は、身体のエクリン汗腺からのダームシジン（抗微生物ペプチド）の分泌をもたらし、皮膚に存在する細菌及び／又は関連する感染及びざ瘡を低減し得る。
【００２３】
[0026]  様々な断熱層は、本明細書に開示される保温性布帛、例えば、ネオプレン布帛（例えば、クロロフレン（ＣＲ）ゴム）又は断熱特性を有する任意の他の材料と関連して使用され得る。特定の実施形態では、比較的薄い、軽い、及び／又は柔軟なネオプレン布帛が使用され得る。いくつかの実施形態では、ネオプレン布帛は、特に、着用者の比較的低い身体活動の下で汗を増加させ、及び／又は汗、油、及び／又は他の毒性又は望ましくない物質が着用者の皮膚又は身体内へ再び吸収される可能性を低減し得るクローズドセル構造を含み得る。他の実施形態では、断熱布帛は、約０．３ｍｍ〜０．５ｍｍの厚さのネオプレン布帛を含み得る。特定の実施形態では、断熱層は比較的増大した成形性を有し、着用者の快適性及び可動域を改善し得る。更に他の実施形態では、断熱層は、従来のネオプレン布帛よりも高い膨張比を有し得る。
【００２４】
[0027]  いくつかの実施形態では、本明細書に開示される保温性布帛の特定の表面は、１つ又は複数のコーティングを含み得る。例えば、１つ又は複数のコーティングは、断熱層の表面上に適用され得る。いくつかの実施形態では、コーティングは、空気と接触しているときに水をはじくミセル構造と、低下した表面抵抗とを含み得る。例えば、コーティングは、乾燥時に０．３５及び湿潤時に０．０３２の動的摩擦係数を示し得る。コーティングされた材料は、感触が比較的滑らかであり、着用者が衣服を着脱する能力を改善し、比較的急速に乾燥し、細菌の増殖を阻止し、保温性布帛の伸縮性を改善し、そして低い熱伝導により比較的高い断熱を提供し得る。加えて、コーティングされた布帛の低い表面抵抗は布帛の吸水性を低減することができ、その耐久性及び耐摩耗性を更に改善し得る。
【００２５】
[0028]  いくつかの実施形態では、本明細書に開示される保温性布帛は、身体活動中に熱保持を増大し、及び／又は摩擦により熱を発生し得る金属材料（例えば、チタン）を含む１つ又は複数の層を含み得る。また保温性布帛は、伸縮性及び／又は着用者の快適性を提供し得る編物（例えば、ナイロンジャージ）を含む１つ又は複数の層も含み得る。特定の実施形態では、編物は、皮膚と接触して安全に使用するために無毒性であることが証明及び／又は試験され得る。例えば、OEKO-TEX（登録商標）及び／又はOKO-TEX（登録商標）は証明及び／又は試験された。
【００２６】
[0029]  図１Ａ及び図１Ｂは、本明細書中の種々の実施形態に従って、保温性布帛の２つの例の簡単化された断面図を説明する。一方の例は、身体面表面及び身体面表面の反対側の外側面表面を含む断熱層と、断熱層の外側面表面に配設された金属材料と、金属材料の外側面表面に配設された外側布帛と、断熱層の身体面表面に配設された内側布帛とを有する（図１Ａ）。他方の例は、身体面表面及び身体面表面の反対側の外側面表面を含む断熱層と、断熱層の外側面表面に配設された金属材料と、金属材料の外側面表面に配設された外側布帛と、断熱層の身体面表面に配設された第２の金属材料（図１Ｂ）と、第２の金属材料層の身体面表面に配設された内側布帛とを有する。
【００２７】
[0030]  図１Ａに示されるように、保温性布帛１００は、種々の特性を有する材料の１つ又は複数の層を含み得る。層は、任意の適切な結合方法（例えば、積層、熱接着など）を用いて互いに結合され得る。図１Ａに更に示されるように、保温性布帛１００は、身体面表面１１０及び身体面表面１１０の反対側の外側面表面１１２を有する断熱層１０２を含む。種々の実施形態において、断熱層１０２は、より低い周囲温度に対する絶縁（例えば、低温の反射性及び／又は吸収）及び／又は熱方向（例えば、熱反射性）などの特性を有し得る。
【００２８】
[0031]  いくつかの実施形態では、断熱層１０２は、ネオプレン材料（例えば、クロロフレン（ＣＲ）ゴム）を含み得る。いくつかの実施形態では、断熱層１０２は、比較的薄いネオプレン布帛、例えば、約０．３ｍｍ〜０．５ｍｍの厚さを有するネオプレン布帛を含み得る。いくつかの実施形態では、断熱層１０２は、特に、着用者の比較的低い身体活動の下で汗を増加させ、及び／又は汗、油、及び／又は他の毒性又は望ましくない物質が着用者の皮膚又は身体内へ再び吸収される可能性を低減し得るクローズドセル構造（例えば、１００％のクローズドセル構造）を含み得る。
【００２９】
[0032]  いくつかの実施形態では、断熱層１０２は、保温性布帛１００を組み込んだ衣服内での身体の動きを容易にするために、比較的薄い、軽い、及び／又は柔軟であり得る。例えば、従来のネオプレン布帛よりも薄い、軽い、及び／又は柔軟なネオプレン材料が使用され得る。他の実施形態では、断熱層１０２はある程度の伸縮及び／又は圧縮性を提供することができ、材料を組み込んだ衣服は、特定の身体活動及び／又は運動競技の探求に基づいて戦略的に設計された伸縮及び／又は圧縮の領域を有し得る。いくつかの実施形態では、断熱層１０２は、着用者又は使用者の身体周囲の熱を絶縁するように構成され得る。
【００３０】
[0033]  図１Ａに更に示されるように、金属材料１０４は、断熱層１０２の外側面表面１１２に結合され得る。いくつかの実施形態では、金属材料１０４は、チタン合金などの金属合金層を含み得る。いくつかの実施形態では、金属材料１０４は放射熱層の役割を果たし、布帛の絶縁特性を改善することができる。例えば、金属材料１０４は発生した身体の熱を着用者に向けて反射することができ、これは、開示される実施形態と一致する身体の熱の保持を改善し得る。また金属材料１０４は、着用者又は使用者の動きにより摩擦熱も発生させることができる。特定の実施形態では、金属材料１０４は、加工されたコーティングの下に、７０ミクロン厚のチタン合金フィルム（しかし、任意の適切な厚さが使用され得る）を含み得る。
【００３１】
[0034]  外側布帛１０８は、金属材料１０４の外側面表面１１４に結合され得る。外側布帛１０８は、ジャージなどの編物を含み得る。いくつかの実施形態では、外側布帛１０８は、保温性布帛１００を組み込んだ衣服又は他の物品を着用している間のより容易な動きを促進するように構成された比較的低摩擦表面を含み得る。いくつかの実施形態では、保温性布帛１００を組み込んだ衣服又は他の物品の特定の部分は異なる外側布帛を含み得る。例えば、高摩擦領域（例えば、着用者の足の間、着用者の腕の下など）は、特定のより低摩擦領域よりも低摩擦の材料を含み得る。外側布帛１０８は、より柔軟及び／又はその他でより快適な接触表面を着用者又は使用者に更に提供し得る。
【００３２】
[0035]  また図１Ａに示されるように、内側布帛１０６は、断熱材料１０２の身体面表面１１０に結合され得る。内側布帛１０６は、ジャージなどの編物を含み得る。いくつかの実施形態では、内側布帛１０６は、保温性布帛１００を組み込んだ衣服又は他の物品を着用している間のより容易な動きを促進するように構成された比較的低摩擦表面を含み得る。いくつかの実施形態では、内側布帛１０６は、特に、毛管作用で水分及び汗を着用者の皮膚から遠ざけ、衣服が着用者の皮膚の上でより自由に動けるようにし（例えば、衣服を着用している間、及び／又は衣服を着る及び／又は脱ぐ際の身体活動に役立つことができる）、そしてより柔軟及び／又はその他でより快適な接触表面を着用者又は使用者に提供するように構成され得る。いくつかの実施形態では、内側布帛１０６は、皮膚と接触して安全に使用するために無毒性であることが証明及び／又は試験され得る。例えば、OEKO-TEX（登録商標）及び／又はOKO-TEX（登録商標）は証明及び／又は試験された。
【００３３】
[0036]  図１Ｂに示されるように、別の金属材料１１６は、図１Ａの断熱層１０２の身体面表面１１０に結合され、内側布帛１０６は、金属材料１１６が断熱層１０２と内側布帛１０６との間に配設されるように、付加的な金属材料１１６の身体面表面１１８に結合され得る。いくつかの実施形態では、金属材料１１６は、金属材料１０４と同一及び／又は同様であり得る。金属材料１１６は、特に、開示される実施形態と一致する身体の熱の保持を改善し得る。
【００３４】
[0037]  図２Ａ及び２Ｂは、本明細書中の種々の実施形態に従って、図１Ａ及び図１Ｂでそれぞれ説明された保温性布帛の特性を示す、簡単化された断面図を説明する。図２Ａ及び図２Ｂに示されるように、断熱材料１０２は、より低温の放射線２００を反射する（２００ａ）か、或いは吸収して（２００ｂ）、より低温の外部環境からの身体の絶縁を改善し得る。金属材料１０４は、身体の熱２０２を身体へ向けて反射して（２０２ａ）、温かい体温の保持を改善し得る。また金属材料１０４は、身体が動くと身体に対して熱２０４を発生し得る。図２Ｂに示されるように、付加的な金属材料１１６も、身体の熱２０６を身体へ向けて反射して（２０６ａ）、温かい体温の保持を更に改善し得る。また金属材料１１６も、身体が動くと身体に対して熱２０８を発生し得る。
【００３５】
[0038]  本明細書に開示される保温性布帛のために様々な異なる構成が存在することは認識されるであろう。このような布帛は、説明される材料層のサブセット、及び／又は付加的な材料層を含み得る。層が様々な構成で配設され得ることは更に認識されるであろう。例えば、本明細書に開示される保温性布帛中に、２つ以上の構成の２つ以上の金属材料層が含まれていてもよい。従って、図１及び図２に説明される構成は実例及び説明のためだけに提供されるものであり、限定を意図しないことは認識されるであろう。
【００３６】
[0039]  上記は明確にするためにいくらか詳細に記載されているが、その原理から逸脱することなく特定の変化及び修正が成され得ることは認識されるであろう。本明細書に記載されるシステム及び方法の両方を実行する代替的なやり方が多数あることは注目すべきである。従って、本発明の実施形態は実例として考えられるべきであり、限定的であると考えられてはならない。本発明は本明細書に示される詳細に限定されず、開示される実施形態の範囲及び等価物の範囲内で修正され得る。
【図１Ａ】
2019531211.tif 000003
【図１Ｂ】
2019531211.tif 000004
【図２Ａ】
2019531211.tif 000005
【図２Ｂ】
2019531211.tif 000006
【国際調査報告】
2019531211.tif 000007
2019531211.tif 000008
2019531211.tif 000009